(57)【要約】【課題】動作制限状態、すなわちロックの解除の手順を簡単にすることができる電子機器、表示装置、表示システム、及び、表示装置の制御方法を提供する。【解決手段】プロジェクター１０において、外光の明るさを検出する照度センサー２０と、入力される情報に基づいて、動作制限の解除用の明るさ変化パターンを生成する解除パターン生成部１１Ｂと、プロジェクター１０の動作を制限し、このプロジェクター１０の動作制限状態で、照度センサー２０によって検出された明るさの変化が、解除パターン生成部１１Ｂが生成した解除用の明るさ変化パターンに適合する場合に、動作制限を解除する動作制限部１１Ｃと、を備える。【選択図】図２
2013073039.tif 000002
【特許請求の範囲】
【請求項１】
電子機器において、
外光の明るさを検出する外光検出手段と、
入力される情報に基づいて、動作制限の解除用の明るさ変化パターンを生成する解除パターン生成手段と、
前記電子機器の動作を制限し、この前記電子機器の動作制限状態で、前記外光検出手段によって検出された明るさの変化が、前記解除パターン生成手段が生成した解除用の明るさ変化パターンに適合する場合に、動作制限を解除する動作制限手段と、
を備えることを特徴とする電子機器。
【請求項２】
画像を表示する表示手段と、前記外光検出手段により検出された外光の明るさに基づいて前記表示手段の表示状態を制御する表示制御手段と、を備えることを特徴とする請求項１に記載の電子機器。
【請求項３】
前記解除パターン生成手段が生成した解除用の明るさ変化パターンに従って前記表示手段により表示を実行させる解除パターン表示制御手段を備えることを特徴とする請求項２に記載の電子機器。
【請求項４】
表示装置において、
画像を表示する表示手段と、
外光の明るさを検出する外光検出手段と、
入力される情報に基づいて、動作制限の解除用の明るさ変化パターンを生成する解除パターン生成手段と、
前記表示装置の動作を制限し、この前記表示装置の動作制限状態で、前記外光検出手段によって検出された明るさの変化が、前記解除パターン生成手段が生成した解除用の明るさ変化パターンに適合する場合に、動作制限を解除する動作制限手段と、
所定の入力操作に応じて、前記解除パターン生成手段が生成した解除用の明るさ変化パターンを表示させる解除パターン表示制御手段と、
を備えることを特徴とする表示装置。
【請求項５】
表示装置と、前記表示装置と組み合わせて使用される携帯端末とを有し、
前記表示装置は、
画像を表示する表示手段と、
外光の明るさを検出する外光検出手段と、
入力される情報に基づいて、動作制限の解除用の明るさ変化パターンを生成する解除パターン生成手段と、
前記表示装置の動作を制限し、前記表示装置の動作制限状態で、前記外光検出手段によって検出された明るさの変化が、前記解除パターン生成手段が生成した解除用の明るさ変化パターンに適合する場合に、動作制限を解除する動作制限手段と、
所定の入力操作に応じて、前記解除パターン生成手段が生成した解除用の明るさ変化パターンを前記表示手段により表示させる解除パターン表示制御手段と、を備え、
前記携帯端末は、
前記表示装置により表示された解除用の明るさ変化パターンを撮影する撮像手段と、
入力操作に従って、前記撮像手段により撮影された解除用の明るさ変化パターンを表示する表示手段と、を備えること、
を特徴とする表示システム。
【請求項６】
画像を表示する表示手段と、外光の明るさを検出する外光検出手段と、を備えた表示装置の制御方法であって、
入力される情報に基づいて、動作制限の解除用の明るさ変化パターンを生成し、
所定の条件下で前記表示装置の動作を制限し、この動作制限状態で、前記外光検出手段によって検出された明るさの変化が、前記解除パターン生成手段が生成した解除用の明るさ変化パターンに適合する場合に、動作制限を解除し、
所定の入力操作に応じて、前記解除用の明るさ変化パターンを表示すること、
を特徴とする表示装置の制御方法。
【発明の詳細な説明】
【技術分野】
【０００１】
本発明は、電子機器、表示装置、表示システム、及び、表示装置の制御方法に関する。
【背景技術】
【０００２】
従来、機能の実行を制限し、正規のパスワードの入力を条件として制限を解除するロック機能を備えた電子機器が知られている。これらの電子機器においてはパスワードを入力する手間が煩雑であったため、パスワードの入力に代えて、他の電子機器を用いることで制限を解除する電子機器が提案された（例えば、特許文献１参照）。特許文献１記載の装置は、セキュリティロックを解除するための暗証コードを、照度センサーを指で隠す等の操作によって明暗のパターンとして入力して登録し、このように登録したパターン通りに照度センサーを指で隠す等して照度センサーの検出値を変化させることで、セキュリティロックを解除できる。
【先行技術文献】
【特許文献】
【０００３】
【特許文献１】特開２０１０−１０７５０号公報
【発明の概要】
【発明が解決しようとする課題】
【０００４】
上記従来の構成では、照度センサーが検出して登録されたパターンがどのようなパターンかを正確に知ることが難しいため、例えば英数字で構成されたパスワードに比べて確実性に欠け、ユーザーは意図したパターンが登録されるように、また、登録したパターンに適合するように慎重に操作する必要があった。
本発明は、上述した事情に鑑みてなされたものであり、電子機器の機能を制限する動作制限の機能を、より簡単かつ確実に使用できるようにすることを目的とする。
【課題を解決するための手段】
【０００５】
上記目的を達成するために、本発明は、電子機器において、外光の明るさを検出する外光検出手段と、入力される情報に基づいて、動作制限の解除用の明るさ変化パターンを生成する解除パターン生成手段と、前記電子機器の動作を制限し、この前記電子機器の動作制限状態で、前記外光検出手段によって検出された明るさの変化が、前記解除パターン生成手段が生成した解除用の明るさ変化パターンに適合する場合に、動作制限を解除する動作制限手段と、を備えることを特徴とする。
本発明によれば、電子機器の動作制限を実行させ、電子機器が検出する外光の明るさを、入力される情報に基づいて生成した明るさ変化パターンに適合するように変化させることで動作制限を解除することができる。また、入力した情報に基づいて、意図した通りの明るさ変化パターンを生成させることができるので、動作制限の解除の再現性、解除に必要な情報の確実性を高めることができる。これにより、より簡単かつ確実に、動作制限の機能を使いこなすことができる。
【０００６】
また、本発明は、上記電子機器において、画像を表示する表示手段と、前記外光検出手段により検出された外光の明るさに基づいて前記表示手段の表示状態を制御する表示制御手段と、を備えた表示装置として構成されたことを特徴とする。
本発明によれば、表示装置が表示制御を行うために外光の明るさを検出する機能を利用して、簡単かつ確実に利用可能な動作制限の機能を実現できる。
【０００７】
また、本発明は、上記電子機器において、前記解除パターン生成手段が生成した解除用の明るさ変化パターンに従って前記表示手段により表示を実行させる解除パターン表示制御手段を備えたことを特徴とする。
本発明によれば、生成した解除用の明るさ変化パターンを表示により確認できる。また、表示された明るさ変化パターンを、例えば他の装置により撮影または検出して、当該他の装置により外光検出手段が検出可能なように再生することによって、当該他の装置を動作制限の解除に用いることができる。
【０００８】
また、上記目的を達成するために、本発明は、表示装置において、画像を表示する表示手段と、外光の明るさを検出する外光検出手段と、入力される情報に基づいて、動作制限の解除用の明るさ変化パターンを生成する解除パターン生成手段と、前記表示装置の動作を制限し、この前記表示装置の動作制限状態で、前記外光検出手段によって検出された明るさの変化が、前記解除パターン生成手段が生成した解除用の明るさ変化パターンに適合する場合に、動作制限を解除する動作制限手段と、所定の入力操作に応じて、前記解除パターン生成手段が生成した解除用の明るさ変化パターンを表示させる解除パターン表示制御手段と、を備えたことを特徴とする。
本発明によれば、表示装置の動作制限を実行させ、表示装置が検出する外光の明るさを、入力される情報に基づいて生成した明るさ変化パターンに適合するように変化させることで動作制限を解除することができる。また、入力した情報に基づいて、意図した通りの明るさ変化パターンを生成させることができるので、動作制限の解除の再現性、解除に必要な情報の確実性を高めることができる。これにより、より簡単かつ確実に、動作制限の機能を使いこなすことができる。
【０００９】
また、上記目的を達成するために、本発明は、表示装置と、前記表示装置と組み合わせて使用される携帯端末とを有し、前記表示装置は、画像を表示する表示手段と、外光の明るさを検出する外光検出手段と、入力される情報に基づいて、動作制限の解除用の明るさ変化パターンを生成する解除パターン生成手段と、前記表示装置の動作を制限し、前記表示装置の動作制限状態で、前記外光検出手段によって検出された明るさの変化が、前記解除パターン生成手段が生成した解除用の明るさ変化パターンに適合する場合に、動作制限を解除する動作制限手段と、所定の入力操作に応じて、前記解除パターン生成手段が生成した解除用の明るさ変化パターンを前記表示手段により表示させる解除パターン表示制御手段と、を備え、前記携帯端末は、前記表示装置により表示された解除用の明るさ変化パターン撮影する撮像手段と、入力操作に従って、前記撮像手段により撮影された解除用の明るさ変化パターンを表示する表示手段と、を備えたこと、を特徴とする。
本発明によれば、表示装置の動作制限を実行させ、表示装置が検出する外光の明るさを、入力される情報に基づいて生成した明るさ変化パターンに適合するように変化させることで動作制限を解除することができる。また、入力した情報に基づいて、意図した通りの明るさ変化パターンを生成させることができるので、動作制限の解除の再現性、解除に必要な情報の確実性を高めることができる。さらに、生成させた解除用の明るさ変化パターンを表示により確認できとともに、表示された明るさ変化パターンを撮影した携帯端末を用いて、容易に表示装置の動作制限を解除することができる。これにより、より簡単かつ確実に、動作制限の機能を使いこなすことができる。
【００１０】
また、上記目的を達成するために、本発明は、画像を表示する表示手段と、外光の明るさを検出する外光検出手段と、を備えた表示装置の制御方法であって、入力される情報に基づいて、動作制限の解除用の明るさ変化パターンを生成し、所定の条件下で前記表示装置の動作を制限し、この動作制限状態で、前記外光検出手段によって検出された明るさの変化が、前記解除パターン生成手段が生成した解除用の明るさ変化パターンに適合する場合に、動作制限を解除し、所定の入力操作に応じて、前記解除用の明るさ変化パターンを表示すること、を特徴とする。
本発明によれば、表示装置の動作制限を実行させ、表示装置が検出する外光の明るさを、入力される情報に基づいて生成した明るさ変化パターンに適合するように変化させることで動作制限を解除することができる。また、入力した情報に基づいて、意図した通りの明るさ変化パターンを生成させることができるので、動作制限の解除の再現性、解除に必要な情報の確実性を高めることができる。さらに、生成された解除用の明るさ変化パターンを表示により確認できとともに、表示された明るさ変化パターンを、例えば他の装置により撮影または検出して、当該他の装置により外光検出手段が検出可能なように再生することによって、当該他の装置を用いて、容易に表示装置の動作制限を解除することができる。これにより、より簡単かつ確実に、動作制限の機能を使いこなすことができる。
【発明の効果】
【００１１】
本発明によれば、明るさの変化を用いて解除される動作制限の機能を、より簡単かつ確実に、使いこなすことができる。
【図面の簡単な説明】
【００１２】
【図１】本発明の第１実施形態に係る表示システムの概要を示した図である。
【図２】表示システムの構成を示したブロック図である。
【図３】動作制限の解除用の明るさ変化パターンの例を示した図である。
【図４】カラーモードの変更制御の手順を示したフローチャートである。
【図５】プロジェクターにおける処理の手順を示したフローチャートである。
【図６】携帯端末における処理の手順を示したフローチャートである。
【図７】本発明の第２実施形態に係る処理の手順を示したフローチャートである。
【発明を実施するための形態】
【００１３】
以下、図面を参照して本発明の実施形態について説明する。
＜第１実施形態＞
図１は、本発明の第１実施形態に係る表示システム１００の概要を示した図であり、図１（ａ）は、プロジェクター１０へ携帯端末３０を密着させる前の状態を示した図、図１（ｂ）は、プロジェクター１０へ携帯端末３０を密着させた状態を示した図である。
図１に示すように、本実施形態に係る表示システム１００は、プロジェクター１０（電子機器）（表示装置）及び携帯端末３０を備えている。プロジェクター１０は、後述する投射光学系１３Ｃ、照度センサー２０、操作パネル２１及びリモコン受光部２２を備えている。携帯端末３０は、後述する表示パネル３５、カメラ３７、スイッチ部３９及びタッチスクリーン４０を備えている。本実施形態に係る表示システム１００においては、図１（ａ）に示すように、矢印Ｐで示すように携帯端末３０をプロジェクター１０に載置し、図１（ｂ）に示すように、携帯端末３０の表示パネル３５をプロジェクター１０の照度センサー２０に対向させる。表示パネル３５を照度センサー２０に対向させた上で、携帯端末３０の表示パネル３５を後述する解除用の明るさ変化パターンに基づき光らせる又は暗くする、すなわち白又は黒を表示させることにより、プロジェクター１０の照度センサー２０はこの解除用の明るさ変化パターンを検出することができる。
【００１４】
図２は、表示システム１００の構成を示したブロック図である。
はじめに、プロジェクター１０の装置構成について説明する。
図２に示すように、プロジェクター１０は、ＰＣやＤＶＤプレーヤー等の外部の画像供給装置に接続され、画像データが入力されるＩ／Ｆ（インターフェース）２３を備えている。Ｉ／Ｆ２３は、ＵＳＢインターフェース、有線または無線ＬＡＮインターフェース、ＨＤＭＩ（登録商標）規格に準拠したＨＤＭＩコネクター及びインターフェース回路を備えている。また、Ｉ／Ｆ２３は、アナログ映像信号が入力されるＶＧＡ端子、デジタル映像信号が入力されるＤＶＩ（Digital Visual Interface）、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子、及び、これらの端子を介して信号を入出力するインターフェース回路を備えた構成としてもよい。
【００１５】
プロジェクター１０は、大きく分けて光学的な画像の形成を行う投射部１３（表示手段）と、この投射部１３に入力される画像信号を電気的に処理する画像処理系とからなる。投射部１３は、照明光学系１３Ａ、液晶パネル等を備えた光変調装置１３Ｂ及び投射光学系１３Ｃを備えている。照明光学系１３Ａは、キセノンランプ、超高圧水銀ランプ、ＬＥＤ（Light Emitting Diode）等からなる光源を備えている。また、照明光学系１３Ａは、光源が発した光を光変調装置１３Ｂに導くリフレクター及び補助リフレクターを備えていてもよく、投射光の光学特性を高めるためのレンズ群（図示略）、偏光板、或いは光源が発した光の光量を光変調装置１３Ｂに至る経路上で低減させる調光素子等を備えたものであってもよい。
【００１６】
光変調装置１３Ｂは、例えば透過型液晶パネルを備えて構成され、この液晶パネルに後述する画像処理系からの信号を受けて画像を形成する。この場合、光変調装置１３Ｂは、カラーの投影を行うため、ＲＧＢの三原色に対応した３枚の液晶パネルを備え、照明光学系１３Ａからの光はＲＧＢの３色の色光に分離され、各色光は対応する各液晶パネルに入射する。各液晶パネルを通過して変調された色光はクロスダイクロイックプリズム等の合成光学系によって合成され、投射光学系１３Ｃに射出される。
【００１７】
なお、光変調装置１３Ｂは、３枚の透過型液晶パネルを用いた構成に限らず、例えば３枚の反射型の液晶パネルを用いることも可能であるし、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。ここで、光変調装置１３Ｂとして１枚のみの液晶パネル又はＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
【００１８】
投射光学系１３Ｃは、投射する画像の拡大・縮小及び焦点の調整を行うズームレンズ、ズームの度合いを調整するズーム調整用モーター、フォーカスの調整を行うフォーカス調整用モーター等を備えている。投射光学系１３Ｃは、光変調装置１３Ｂで変調された入射光を、ズームレンズを用いてスクリーンＳＣ上に投射し、結像させる。
投射部１３には、制御部１１の制御に従って投射光学系１３Ｃが備える各モーターを駆動する投射光学系駆動部１８と、制御部１１の制御に従って照明光学系１３Ａが備える光源を駆動する光源駆動部１４が接続されている。
【００１９】
画像処理系は、プロジェクター１０全体を統合的に制御する制御部１１を中心に構成され、制御部１１が処理するデータや制御部１１が実行する制御プログラム１２Ａを記憶した記憶部１２、照度センサー２０（外光検出手段）、操作パネル２１及びリモコン受光部２２を介した入力を検出する入力処理部１９、Ｉ／Ｆ２３から入力される入力画像を処理する画像処理部１５と、画像処理部１５から出力される画像信号に基づいて光変調装置１３Ｂを駆動する光変調装置駆動部１７を備えている。
【００２０】
制御部１１は、記憶部１２に記憶された制御プログラム１２Ａを読み出して実行することにより、プロジェクター１０の各部を制御する。制御部１１は、入力処理部１９から入力される入力信号に基づいて、プロジェクター１０の設置されている環境の明るさや、ユーザーが行った操作の内容を検出し、この入力に応じて画像処理部１５、光変調装置駆動部１７、投射光学系駆動部１８及び光源駆動部１４を制御して、投射部１３によりスクリーンＳＣに画像を投射させる。
【００２１】
プロジェクター１０の本体には、プロジェクター１０が設置されている環境の明るさを検出する照度センサー２０が設置されている。また、プロジェクター１０の本体には、ユーザーが操作を行うための各種スイッチ及びインジケーターランプを備えた操作パネル２１が配置されている。操作パネル２１は入力処理部１９に接続されており、入力処理部１９は、制御部１１の制御に従い、プロジェクター１０の動作状態や設定状態に応じて操作パネル２１のインジケーターランプを適宜点灯或いは点滅させる。この操作パネル２１のスイッチが操作されると、操作されたスイッチに対応する操作信号が入力処理部１９から制御部１１に出力される。
また、プロジェクター１０は、ユーザーが使用するリモコン（図示略）を有する。リモコンは１０キー等の各種のボタンを備えており、これらのボタンの操作に対応して赤外線信号を送信する。プロジェクター１０の本体には、リモコンが発する赤外線信号を受光するリモコン受光部２２が配置されている。リモコン受光部２２は、リモコンから受光した赤外線信号をデコードして、リモコンにおける操作内容を示す操作信号を生成し、制御部１１に出力する。
【００２２】
Ｉ／Ｆ２３には、画像処理部１５が接続されている。画像処理部１５は、画像供給装置から入力された画像データを取得する。画像処理部１５は、アナログ画像信号かデジタル画像データかの判別、デジタル画像データのデータフォーマットの識別等を行い、アナログ画像信号が入力された場合には、このアナログ入力信号をＡ／Ｄ変換してデジタル画像データを出力する。
画像処理部１５は、入力画像の画像データを、光変調装置１３Ｂの液晶パネルの仕様に適合した解像度のデータに変換する解像度変換処理等を実行し、光変調装置１３Ｂにより表示する表示用画像をフレームメモリー１６に展開し、展開した表示用画像を光変調装置駆動部１７に出力する。光変調装置駆動部１７は、画像処理部１５から入力される表示用画像に基づいて、光変調装置１３Ｂを駆動する。これにより、制御部１１の制御によって、光変調装置１３Ｂが駆動され、光変調装置１３Ｂによって変調された画像光が投射光学系１３Ｃを介して、スクリーンＳＣ上に投射画像として投射される。
【００２３】
制御部１１は、制御プログラム１２Ａを実行することで表示制御部１１Ａ（表示制御手段）、解除パターン生成部１１Ｂ（解除パターン生成手段）、動作制限部１１Ｃ（動作制限手段）及び解除パターン表示制御部１１Ｄ（解除パターン表示制御手段）として機能する。
表示制御部１１Ａは、画像処理部１５を制御して、Ｉ／Ｆ２３に入力された画像データに基づく画像をフレームメモリー１６に展開させるとともに、フレームメモリー１６に展開された画像に基づいて光変調装置駆動部１７を制御して、光変調装置１３Ｂの液晶パネルを駆動することにより、液晶パネルによって変調された画像光を投射部１３により投射させる。
【００２４】
解除パターン生成部１１Ｂは、コードからプロジェクター１０の動作制限の解除用の明るさ変化パターンを生成するプログラムを起動し、登録済みのパスワードのコードに基づき、プロジェクター１０の動作制限の解除用の明るさ変化パターンを生成する。ここで、コードは、ユーザーが間違いなく認識することができるテンキー等により入力可能な英数字の１字又はこの文字列である。
動作制限部１１Ｃは、プロジェクター１０の動作を制限するロック機能を制御する。動作制限部１１Ｃは、プロジェクター１０が動作制限状態であるロック状態の場合、照度センサー２０によって検出された明るさの変化が、解除パターン生成部１１Ｂが生成した解除用の明るさ変化パターンに適合する場合に、動作制限、すなわちロックを解除する。また、動作制限部１１Ｃは、リモコンによりパスワードが入力された場合にも動作制限、すなわちロックを解除する。
解除パターン表示制御部１１Ｄは、所定の入力操作に応じて、解除パターン生成部１１Ｂが生成した解除用の明るさ変化パターンを投射部１３により投射させる。
【００２５】
次に、携帯端末３０の装置構成について説明する。
携帯端末３０は、携帯端末３０全体を統合的に制御する制御部１１を備えている。また、携帯端末３０は、制御部３１が処理するデータや制御部３１が実行する制御プログラム３２Ａや、動画データ３２Ｂを記憶する記憶部１２を備えている。また、携帯端末３０は、外部の機器と無線により通信を行う無線通信部３３を備えている。また、携帯端末３０は、制御部３１において生成された画像データに基づき液晶パネル等の表示パネル３５に画像を表示させる表示部３４（表示手段）を備えている。また、携帯端末３０は、カメラ３７により撮影した画像に基づき静止画像や動画のデータを生成し制御部３１に出力する撮像部３６（撮像手段）を備えている。カメラ３７は、携帯端末３０本体に設置されている。また、携帯端末３０は、ユーザーによるスイッチ部３９及びタッチスクリーン４０に対する操作に基づき制御部３１に操作内容に応じたデータを出力する操作検出部３８を備えている。スイッチ部３９は、携帯端末３０本体に設置される機械式のボタンである。タッチスクリーン４０は、表示パネル３５上に重ねて設置されている（図１）。制御部３１は、表示パネル３５に表示させたソフトキーボードや各種機能が割り当てられたボタンを表示させる。また、制御部３１は、タッチスクリーン４０におけるユーザーによるタッチ操作を座標データとして検出する。そして、制御部３１は、この座標データに基づき表示パネル３５に表示させたボタンに対応する制御を実行する。
【００２６】
制御部３１は、制御プログラム３２Ａを実行することで表示制御部３１Ａ、解除パターン生成部３１Ｂ及び撮像制御部３１Ｃとして機能する。
表示制御部３１Ａは、ユーザーによるスイッチ部３９及びタッチスクリーン４０を用いた入力操作に従って、カメラ３７により撮影された解除用の明るさ変化パターンを表示パネル３５に表示させる。
解除パターン生成部３１Ｂは、コードからプロジェクター１０の動作制限の解除用の明るさ変化パターンを生成するプログラムを起動し、ユーザーがスイッチ部３９及びタッチスクリーン４０を用いて入力したコードに基づき、プロジェクター１０の動作制限の解除用の明るさ変化パターンを生成する。
撮像制御部３１Ｃは、プロジェクター１０の投射部１３により表示された解除用の明るさ変化パターンを動画撮影し、撮影した動画を記憶部３２に動画データ３２Ｂとして保存する。
【００２７】
ここで、携帯端末３０の解除パターン生成部３１Ｂにおいて生成されるプロジェクター１０の動作制限の解除用の明るさ変化パターンの例を説明する。
プロジェクター１０のロック状態を解除するパスワードとして登録するのが１０進数で００００〜９９９９の４桁のコードである場合、１６進数では００００〜２７０Ｆの４桁となり、送信するデータは４バイトとなる。データの転送として２０［ビット／秒］あれば４桁の転送時間は２秒となり、実用的な性能と考えてよい。そのため、照度センサー２０の応答性が悪くても４桁程度の転送であれば十分といえる。なお、リモコンのキー操作によりパスワードを入力した場合であっても、１桁当たり１秒程度かかるので、動作時間としては同等以上となっている。
図３は、プロジェクター１０の動作制限の解除用の明るさ変化パターンの例を示した図である。
携帯端末３０の制御プログラム１２Ａには、図３に示すように、コードからプロジェクター１０の動作制限の解除用の明るさ変化パターンを生成するプログラムを備える必要がある。プログラムの起動後、２秒程度は表示パネル３５を白表示、すなわち明るい状態（１に相当）にする。これはプログラムの起動と同時にデータの送信を開始すると、携帯端末３０をプロジェクター１０の照度センサー２０に密着させるまでの間に送信したデータが無効となってしまうため、その時間に相当する分として、２秒程度の待ち時間を入れておく。携帯端末３０をプロジェクター１０に密着させた後は、携帯端末３０の動作状態が見えないため、データの送信開始と送信終了は音で通知するようにするとよい。
また、プロジェクター１０側の動作は、一般的なシリアル通信と同様である。携帯端末３０の表示パネル３５の明るい状態を「１」、暗い状態を「０」として、最初に明るい状態の「１」を検出する。次に「１」から「０」の変化をスタートビットとして検出する。その後は８ビットのデータを取得する。８ビットのデータを受信した後で「１」を検出すれば１バイト（８ビット）のデータ受信に成功となる。なお、８ビットを受け取った後に「０」だった場合は、フレーミングエラーとなる。その後、次の１バイト（８ビット）のデータも同様に受信して、同様に４バイトのデータを受信する。そして、受け取った４バイトのデータが、プロジェクター１０に登録済みのパスワードと一致するかを判定して、一致する場合にロックを解除する。
以上が携帯端末３０の解除パターン生成部３１Ｂにおいて生成されるプロジェクター１０の動作制限の解除用の明るさ変化パターンの例である。
【００２８】
次に、プロジェクター１０におけるカラーモードの変更制御について説明する。
図４は、プロジェクター１０におけるカラーモードの変更制御の手順を示したフローチャートである。
図４に示すように、制御部１１は、投射部１３によるスクリーンＳＣへの画像の投射を開始した後（ステップＳ１０）、照度センサー２０により明るさを検出する（ステップＳ１１）。制御部１１は、検出した明るさに基づきカラーモードを選択し（ステップＳ１２）、選択した結果カラーモードを変更する必要がある場合にはカラーモードを変更する（ステップＳ１３）。このとき、制御部１１は、プロジェクター１０が明るい場所に設置されている場合には、例えばコントラスト感を強調して画像全体を明るくするなどして、明るい場所に適した画像に調整する。また、逆に、プロジェクター１０が暗い場所に設置されている場合には、例えば照明光学系１３Ａの光源の明るさを暗くしたり、コントラスト感を抑制したりするなどして暗い場所に適した画質に調整して終了する。
上述したカラーモードの変更制御は、プロジェクター１０が画像を投射している間、所定時間ごとに繰り返し実行され、照度センサー２０により検出した外光の明るさに応じてカラーモードが選択される。これにより、プロジェクター１０は、投射部１３により最適な画質でスクリーンＳＣに画像を投射することができる。
【００２９】
次に、プロジェクター１０における処理の手順について説明する。
図５は、プロジェクター１０における処理の手順を示したフローチャートである。
図５に示すように、制御部１１は、プロジェクター起動時に、ロックが有効であるか判断する（ステップＳ２０）。制御部１１は、プロジェクター起動時に、ロックが有効である場合（ステップＳ２０；ＹＥＳ）、投射部１３によりパスワード入力待ちメッセージをスクリーンＳＣに投射させる（ステップＳ２１）。また、ロックが有効でない場合（ステップＳ２０；ＮＯ）、プロジェクター１０がそのまま起動する。
パスワード入力待ちメッセージをスクリーンＳＣに投射させた後、制御部１１は、携帯端末３０の表示パネル３５からプロジェクター１０の照度センサー２０に入力があるか判断する（ステップＳ２２）。制御部１１は、照度センサー２０に入力がある場合（ステップＳ２２；ＹＥＳ）、照度センサー２０からの入力が登録済みのパターンと一致するか判断する（ステップＳ２３）。
制御部１１は、照度センサー２０からの入力が登録済みのパターンと一致する場合（ステップＳ２３；ＹＥＳ）、プロジェクター１０を起動し、照度センサー２０からの入力が登録済みのパターンと一致しない場合（ステップＳ２３；ＮＯ）、投射部１３によりエラーメッセージをスクリーンＳＣに投射させる（ステップＳ２４）。制御部１１は、ロックを解除するための入力の試行回数が所定回数以上か判断する（ステップＳ２８）。制御部１１は、ロックを解除するための入力の試行回数が所定回数以上である場合（ステップＳ２８；ＹＥＳ）、投射部１３により終了メッセージをスクリーンＳＣに投射させ（ステップＳ２９）、ロックを解除するための入力の試行回数が所定回数以上でない場合（ステップＳ２８；ＮＯ）、ステップＳ２２に戻る。
【００３０】
また、制御部１１は、照度センサー２０に入力がない場合（ステップＳ２２；ＮＯ）、リモコンのキー入力があるか判断する（ステップＳ２５）。制御部１１は、リモコンのキー入力がある場合（ステップＳ２５；ＹＥＳ）、正しいパスワードが入力されたか判断し（ステップＳ２６）、リモコンのキー入力がない場合（ステップＳ２５；ＮＯ）、ステップＳ２２に戻る。制御部１１は、正しいパスワードが入力された場合（ステップＳ２６；ＹＥＳ）、プロジェクター１０を起動する。制御部１１は、正しいパスワードが入力されていない場合（ステップＳ２６；ＮＯ）、投射部１３によりパスワード違いメッセージをスクリーンＳＣに投射させ（ステップＳ２７）、上述したステップ２８の処理に移行する。
上述したプロジェクター１０における処理により、ロックの解除の手順を簡単にすることができる。
【００３１】
次に、携帯端末３０における処理の手順について説明する。
図６は、携帯端末３０における処理の手順を示したフローチャートである。
図６に示すように、制御部３１は、解除パターン生成部３１Ｂにおいて、ユーザーがスイッチ部３９及びタッチスクリーン４０を用いて入力したコードに基づき、プロジェクター１０の動作制限の解除用の明るさ変化パターンを生成する（ステップＳ３０）。制御部３１は、表示制御部３１Ａにおいて、表示パネル３５の画面表示を白、すなわち光らせた状態にし（ステップＳ３１）、所定時間待つ（ステップＳ３２）。制御部３１は、表示制御部３１Ａにおいて、生成したプロジェクター１０の動作制限の解除用の明るさ変化パターンに従って表示パネル３５の画面表示を白又は黒、すなわち光らせた状態又は暗くした状態にする（ステップＳ３３）。制御部３１は、プロジェクター１０の動作制限の解除用の明るさ変化パターンの表示が完了したか判断し（ステップＳ３４）、完了した場合処理を終了し、完了していない場合、ステップＳ３３に戻る。
上述した携帯端末３０における処理により、プロジェクター１０の動作制限の解除用の明るさ変化パターンを生成した後は、携帯端末３０があればよいので、パスワードを忘れることによりロックの解除を行えなくなる心配がない。
【００３２】
＜第２実施形態＞
本実施形態に係る表示システム１００においては、解除用パターンを生成する処理が第１実施形態と異なるが、装置構成は第１の実施形態と同様であるためここでの装置構成の説明は省略する。
図７は、本発明の第２実施形態に係る解除用パターンを生成する処理の手順を示したフローチャートである。
図７に示すように、プロジェクター１０の制御部１１は、解除パターン生成部１１Ｂにおいて、ユーザーがリモコンを用いて入力したコードに基づき、プロジェクター１０の動作制限の解除用の明るさ変化パターンを生成する（ステップＳ４０）。制御部１１は、解除パターン表示制御部１１Ｄにおいて、生成したプロジェクター１０の動作制限の解除用の明るさ変化パターンに従って投射部１３により白又は黒、すなわち明るい画像又は暗い画像をスクリーンＳＣに投射させる（ステップＳ４１）。制御部１１は、プロジェクター１０の動作制限の解除用の明るさ変化パターンの表示が完了したか判断し（ステップＳ４２）、完了した場合処理を終了し、完了していない場合、ステップＳ４１に戻る。
また、携帯端末３０の制御部３１は、カメラ３７により上述したステップＳ３１においてプロジェクター１０の投射部１３によりスクリーンＳＣに投射した画像を動画撮影する（ステップＳ５０）。制御部３１は、撮像制御部３１Ｃにおいて、カメラ３７により撮影した動画に基づき動画データ３２Ｂを生成し、記憶部３２に記憶させる（ステップＳ５１）。
上述した解除用パターンを生成する処理により、プロジェクター１０の投射部１３によりスクリーンＳＣに投射した画像を携帯端末３０により動画撮影するだけでプロジェクター１０の動作制限の解除用の明るさ変化パターンを取得することができるため、携帯端末３０にコードからプロジェクター１０の動作制限の解除用の明るさ変化パターンを生成するプログラムを備えていない場合、すなわち解除パターン生成部３１Ｂを備えていない場合であっても、プロジェクター１０の動作制限の解除用の明るさ変化パターンを生成することができる。
【００３３】
なお、上述した実施形態は本発明を限定するものではなく、上記実施形態とは異なる態様として本発明を適用することも可能である。例えば、上記実施形態においては、プロジェクター１０において、外光の明るさを検出する照度センサー２０と、入力される情報に基づいて、動作制限の解除用の明るさ変化パターンを生成する解除パターン生成部１１Ｂと、プロジェクター１０の動作を制限し、このプロジェクター１０の動作制限状態で、照度センサー２０によって検出された明るさの変化が、解除パターン生成部１１Ｂが生成した解除用の明るさ変化パターンに適合する場合に、動作制限を解除する動作制限部１１Ｃと、を備えた。このため、プロジェクター１０の動作制限を実行させ、プロジェクター１０が検出する外光の明るさを、入力される情報に基づいて生成した明るさ変化パターンに適合するように変化させることで動作制限を解除することができる。また、入力した情報に基づいて、意図した通りの明るさ変化パターンを生成させることができるので、動作制限の解除の再現性、解除に必要な情報の確実性を高めることができる。これにより、より簡単かつ確実に、動作制限の機能を使いこなすことができる。
【００３４】
また、画像を表示する投射部１３と、照度センサー２０により検出された外光の明るさに基づいて投射部１３の表示状態を制御する表示制御部１１Ａと、を備えた。これにより、投射部１３が表示制御を行うために外光の明るさを検出する機能を利用して、簡単かつ確実に利用可能な動作制限の機能を実現できる。
【００３５】
また、解除パターン生成部１１Ｂが生成した解除用の明るさ変化パターンに従って投射部１３により表示を実行させる解除パターン表示制御部１１Ｄを備えた。これにより、生成した解除用の明るさ変化パターンを表示により確認できる。また、表示された明るさ変化パターンを、例えば他の装置により撮影または検出して、当該他の装置により外光検出手段が検出可能なように再生することによって、当該他の装置を動作制限の解除に用いることができる。
【００３６】
さらに、上記実施形態においては、プロジェクター１０と、プロジェクター１０と組み合わせて使用される携帯端末３０とを有し、プロジェクター１０は、画像を表示する投射部１３と、外光の明るさを検出する照度センサー２０と、入力される情報に基づいて、動作制限の解除用の明るさ変化パターンを生成する解除パターン生成部１１Ｂと、プロジェクター１０の動作を制限し、プロジェクター１０の動作制限状態で、照度センサー２０によって検出された明るさの変化が、解除パターン生成部１１Ｂが生成した解除用の明るさ変化パターンに適合する場合に、動作制限を解除する動作制限部１１Ｃと、所定の入力操作に応じて、解除パターン生成部１１Ｂが生成した解除用の明るさ変化パターンを投射部１３により表示させる解除パターン表示制御部１１Ｄと、を備え、携帯端末３０は、プロジェクター１０により表示された解除用の明るさ変化パターンを撮影する撮像部３６と、入力操作に従って、撮像部３６により撮影された解除用の明るさ変化パターンを表示する表示部３４と、を備えた。これにより、プロジェクター１０の動作制限を実行させ、プロジェクター１０が検出する外光の明るさを、入力される情報に基づいて生成した明るさ変化パターンに適合するように変化させることで動作制限を解除することができる。また、入力した情報に基づいて、意図した通りの明るさ変化パターンを生成させることができるので、動作制限の解除の再現性、解除に必要な情報の確実性を高めることができる。さらに、生成させた解除用の明るさ変化パターンを表示により確認できとともに、表示された明るさ変化パターンを撮影した携帯端末３０を用いて、容易にプロジェクター１０の動作制限を解除することができる。これにより、より簡単かつ確実に、動作制限の機能を使いこなすことができる。
【００３７】
なお、上述した実施形態は本発明を限定するものではなく、上記実施形態とは異なる態様として本発明を適用することも可能である。例えば、上記実施形態では、電子機器及び表示装置としてプロジェクター１０を例に挙げて説明したが、本発明はこれに限定されず、電子機器はデジタルカメラやテレビ、表示装置はテレビとして構成とすることも可能である。また、携帯端末３０は、携帯電話機や、スマートフォン等により構成することが可能である。また、上記実施形態では、外光検出手段は、照度センサー２０を例に挙げて説明したが、本発明はこれに限定されず、外光検出手段には電子機器又は表示装置が備えるカメラを用いることも可能である。
【符号の説明】
【００３８】
１０…プロジェクター（電子機器、表示装置）、１１Ａ…表示制御部（表示制御手段）、１１Ｂ…解除パターン生成部（解除パターン生成手段）、１１Ｃ…動作制限部（動作制限手段）、１１Ｄ…解除パターン表示制御部（解除パターン表示制御手段）、１３…投射部（表示手段）、２０…照度センサー（外光検出手段）、３０…携帯端末、３１…制御部、３１Ａ…表示制御部、３１Ｂ…解除パターン生成部、３１Ｃ…撮像制御部、３４…表示部（表示手段）、３５…表示パネル、３６…撮像部（撮像手段）、３７…カメラ、１００…表示システム。
【図１】
2013073039.tif 000003
【図２】
2013073039.tif 000004
【図３】
2013073039.tif 000005
【図４】
2013073039.tif 000006
【図５】
2013073039.tif 000007
【図６】
2013073039.tif 000008
【図７】
2013073039.tif 000009